(57)【要約】      （修正有）【課題】円筒状フィルタ部材における円筒状メッシュの径や濾過面積を拡大し、樹脂部とメッシュとの一体化を図って、金型の構成を簡単にするフィルタ部材の製造方法の提供。【解決手段】円筒状メッシュ２に樹脂部が一体化されたフィルタ部材を、インサート成形法により製造する。第１樹脂部の外周面は、メッシュ露出部の外周面とほぼ同じ径に形成され、メッシュ露出部に対向配置されるキャビティ型が、コアピン３５に対し、円筒の中心軸に沿う方向に相対移動して型閉じ、金型の第１樹脂部を成形する部分には、複数本の突条３３，３３が周方向に離間して設けられ、突条３３，３３は、金型の型閉じ方向に対し突条の突端が傾斜した形状とされ、型閉じの際、突条３３の傾斜突端が円筒状メッシュ２の端部に接触し、円筒状メッシュ２の接触部が円筒の半径方向に変形して型閉じが完了し、前記状態で樹脂が射出され、樹脂部を形成するフィルター部材の製造方法。【選択図】図７
2018069114.tif 000002
【特許請求の範囲】
【請求項１】
円筒状に形成されたメッシュに合成樹脂製の樹脂部が一体化されたフィルタ部材を、射出成形を利用して製造する方法であって、
前記フィルタ部材では、円筒状メッシュの両端部に、リング状、円筒状もしくは円板状の第１樹脂部及び第２樹脂部がそれぞれ一体化されており、第１樹脂部と第２樹脂部の間でメッシュの一部が露出していて、第１樹脂部の外周面と、前記メッシュ露出部の外周面が、ほぼ同じ径で連続した円筒状の面とされており、
前記射出成形は、
前記樹脂部を形成可能な射出成形金型に対し、円筒状メッシュを所定の位置に配置した状態で金型を型閉じした後、樹脂を射出して、樹脂部を形成しつつメッシュに一体化するよう行われ、
前記射出成形金型は、キャビティ型とコアピンを有すると共に、
前記メッシュ露出部の外側に対向配置されるキャビティ型の部分が、前記メッシュ露出部の内側に配置されるコアピンに対し、円筒の中心軸に沿う方向に相対移動して型閉じされるものであり、
さらに、前記射出成形金型において、第１樹脂部と第２樹脂部の少なくとも一方の形状を規定する部分には、金型のキャビティの内側に向かって突出するように、複数本の突条が周方向に離間して設けられており、
かつ、前記突条は、金型の型閉じ方向に対し突条の突端が傾斜した形状とされていて、
金型を型閉じする際に、前記突条の傾斜した突端が、円筒状メッシュの端部に接触して、
円筒状メッシュの接触部が円筒の半径方向に変形した状態となって型閉じが完了し、
かかる状態で樹脂が射出されて樹脂部が形成される、
フィルタ部材の製造方法。
【請求項２】
前記円筒状メッシュがテーパを有している
請求項１に記載のフィルタ部材の製造方法。
【請求項３】
金型の第１樹脂部の形状を規定する部分に前記突条が設けられ、突条の突端との接触により、前記円筒状メッシュの接触部が円筒の半径方向内側に変形して、
円筒状メッシュの端部が半径方向に波打つように変形した状態で型閉じが完了する
請求項１または請求項２に記載のフィルタ部材の製造方法。
【請求項４】
突条の数が３以上６以下であり、突条が周方向にほぼ等間隔に設けられた
請求項１もしくは請求項３のいずれかに記載のフィルタ部材の製造方法。
【発明の詳細な説明】
【技術分野】
【０００１】
本発明は、円筒状に形成されたメッシュに合成樹脂製の樹脂部が一体化されたフィルタ部材の製造方法に関する。特に射出成形を利用して樹脂部を形成するフィルタ部材の製造方法に関する。
【背景技術】
【０００２】
メッシュに対し樹脂部を一体成形したフィルタ部材が実用化されている。特にメッシュを円筒状に形成して、円筒の側部でメッシュにより濾過を行うような、円筒状のフィルタ部材が、オイルフィルタや燃料フィルタ、ストレーナや濾過エレメント等、各種液体や気体中の塵埃を取り除くフィルタ部材として利用されている。
【０００３】
この様なフィルタ部材を、射出成形を利用して製造する技術は公知である。円筒状に形成したメッシュをインサート部材として金型内部に配置し、樹脂を射出して、樹脂部を形成一体化する、いわゆるインサート成形法により、円筒状のフィルタ部材が製造される。
【０００４】
例えば、特許文献１には、メッシュ（スクリーン）を円筒状に形成する際に、外側に突出する突起部を、折曲げ加工により形成し、かかる突起部を、補強用部材中に埋設するようにインサート成形を行うと、流体圧によるメッシュの変形が抑制され、燃料の流れを妨げることの無い燃料フィルタが得られることが開示されている。
【先行技術文献】
【特許文献】
【０００５】
【特許文献１】特開平１１−０３７０１０号公報
【発明の概要】
【発明が解決しようとする課題】
【０００６】
ところで、特許文献１に開示されるような円筒状フィルタにおいては、円筒状メッシュの両端部のそれぞれに、樹脂部を設け、樹脂部に円筒状メッシュの端部を埋入させ、埋入部では円筒状メッシュの外側にも内側にも樹脂が存在するようにされていた。そのため、円筒状メッシュの両端部で、樹脂部がメッシュの外周面よりも半径方向外側に張り出すように大きな径で形成されることになる。
【０００７】
そのような張り出しがあると、樹脂部とメッシュの一体化は確実なものとなる一方で、フィルタ部材のスペースが限られる場合などに、円筒状メッシュの径が小さくなってしまうこととなり、フィルタの濾過面積が減少しやすい。また、そのような張り出しがあると、円筒状メッシュが露出する部分に対向するキャビティ型を、スライド機構等を用いて円筒の半径方向に沿って型閉じする必要があり、金型の構成が複雑にならざるを得ない。
【０００８】
本発明の目的は、円筒状のフィルタ部材を成形するにあたって、円筒状メッシュの径を拡大しつつ、樹脂部とメッシュとの一体化を確実なものとすることにある。また、本発明の他の目的は、インサート射出成形法により円筒状フィルタ部材を製造する際の、金型の構成をより簡単な構成とすることにある。
【課題を解決するための手段】
【０００９】
発明者は、省スペースレイアウト中でも円筒状メッシュの径を拡大するために、円筒状メッシュの内外に存在するコアピンとキャビティ型を、円筒状メッシュの中心軸に沿って型閉じしてインサート成形を行うことを発想した。このようにすれば、円筒状メッシュの外径と樹脂部の外径を略一致させることが可能となって、メッシュの径を大きくできると共に、金型も簡単な構成にすることができる。
【００１０】
しかしながら、発明者がそのような検討を行ったところ、円筒状メッシュの端部が樹脂部に一体化される部分において、メッシュと樹脂の一体化が不十分となって、メッシュの端部がほつれたり、フィルタ使用時の内圧等によってメッシュ端部が樹脂部から外れたりするおそれがあることが判明した。
【００１１】
発明者は、さらに検討を行い、複数の傾斜した突条をキャビティ型に設け、型閉じ時に、突条の傾斜を利用して、円筒状メッシュの端部を半径方向に変形させるようにすると、メッシュと樹脂部の一体化が十分となることを知見し、本発明を完成させた。
【００１２】
本発明は、円筒状に形成されたメッシュに合成樹脂製の樹脂部が一体化されたフィルタ部材を、射出成形を利用して製造する方法であって、前記フィルタ部材では、円筒状メッシュの両端部に、リング状、円筒状もしくは円板状の第１樹脂部及び第２樹脂部がそれぞれ一体化されており、第１樹脂部と第２樹脂部の間でメッシュの一部が露出していて、第１樹脂部の外周面と、前記メッシュ露出部の外周面が、ほぼ同じ径で連続した円筒状の面とされており、前記射出成形は、前記樹脂部を形成可能な射出成形金型に対し、円筒状メッシュを所定の位置に配置した状態で金型を型閉じした後、樹脂を射出して、樹脂部を形成しつつメッシュに一体化するよう行われ、前記射出成形金型は、キャビティ型とコアピンを有すると共に、前記メッシュ露出部の外側に対向配置されるキャビティ型の部分が、前記メッシュ露出部の内側に配置されるコアピンに対し、円筒の中心軸に沿う方向に相対移動して型閉じされるものであり、さらに、前記射出成形金型において、第１樹脂部と第２樹脂部の少なくとも一方の形状を規定する部分には、金型のキャビティの内側に向かって突出するように、複数本の突条が周方向に離間して設けられており、かつ、前記突条は、金型の型閉じ方向に対し突条の突端が傾斜した形状とされていて、金型を型閉じする際に、前記突条の傾斜した突端が、円筒状メッシュの端部に接触して、円筒状メッシュの接触部が円筒の半径方向に変形した状態となって型閉じが完了し、かかる状態で樹脂が射出されて樹脂部が形成される、フィルタ部材の製造方法である（第１発明）。
【００１３】
第１発明において、好ましくは、円筒状メッシュがテーパを有している。（第２発明）。また、第１発明もしくは第２発明において、好ましくは、金型の第１樹脂部の形状を規定する部分に前記突条が設けられ、突条の突端との接触により、前記円筒状メッシュの接触部が円筒の半径方向内側に変形して、円筒状メッシュの端部が半径方向に波打つように変形した状態で型閉じが完了する（第３発明）。また、第１発明ないし第３発明のいずれかにおいて、好ましくは、突条の数が３以上６以下であり、突条が周方向にほぼ等間隔に設けられる。（第４発明）。
【発明の効果】
【００１４】
本発明のフィルタ部材の製造方法（第１発明）によれば、円筒状メッシュの径を大きくできると共に、金型の構成も簡単になり、樹脂部とメッシュとの一体化も確実なものとなる。さらに、第２発明のようにすると、メッシュの露出部への樹脂のはみ出しも抑制できる。また、さらに、第３発明や第４発明のようにすると、メッシュの露出部にしわなどが発生しにくくなって、フィルタ部材の品質が向上する。
【図面の簡単な説明】
【００１５】
【図１】本発明の製造方法により製造されるフィルタ部材の外観形状を示す図である。
【図２】本発明の製造方法により製造されるフィルタ部材のＡ−Ａ断面図である。
【図３】本発明の製造方法により製造されるフィルタ部材のＢ−Ｂ断面図である。
【図４】本発明の製造方法により製造されるフィルタ部材のＦ−Ｆ断面図である。
【図５】本発明の製造方法により製造されるフィルタ部材のＣ−Ｃ断面図である。
【図６】本発明の製造方法に使用される射出成形金型の構成の例を示す模式図である。
【図７】本発明の製造方法の工程の一部を示す模式図である。
【図８】本発明の製造方法の工程の一部を示す模式図である。
【発明を実施するための形態】
【００１６】
以下図面を参照しながら、液体の移送用配管中に使用されるフィルタ部材を例として、発明の実施形態について説明する。発明は以下に示す個別の実施形態に限定されるものではなく、その形態を変更して実施することもできる。
【００１７】
図１は、後述する製造方法により製造されるフィルタ部材１の外観形状を示す図である。フィルタ部材１は、円筒状に形成されたメッシュ２と、合成樹脂製の樹脂部１１，１２を有し、メッシュ２と樹脂部１１，１２とは、メッシュの端部で一体化されている。後述するように、フィルタ部材１は射出成形を利用して製造される。
【００１８】
フィルタ部材１では、円筒状メッシュ２の両端部に、樹脂部として、第１樹脂部１１及び第２樹脂部１２がそれぞれ一体化されている。すなわち、円筒状メッシュ２の一端に第１樹脂部１１が一体化され、円筒状メッシュ２の他端に第２樹脂部１２が一体化されている。第１樹脂部１１及び第２樹脂部１２は、リング状、円筒状もしくは円板状に形成され、第１樹脂部１１及び第２樹脂部１２の少なくとも一方は、リング状もしくは円筒状に形成されている。本実施形態においては、第１樹脂部１１が円板状に、第２樹脂部１２が円筒状に形成されている。なお、第１樹脂部１１や第２樹脂部１２には、溝や突起等や、ステーやフックなどが一体に形成されていてもよい。
【００１９】
フィルタ部材１において、第１樹脂部１１と第２樹脂部１２の間でメッシュ２の一部が露出しており、この露出した部分（メッシュ露出部）によって、フィルタとしての機能が果たされる。
【００２０】
必要に応じ、特許文献１の発明にもあるように、メッシュ２が露出する部分に隣接させて、第１樹脂部１１と第２樹脂部１２の間にまたがるように、円筒中心軸に沿って延在する柱状部（図示せず）を設け、メッシュの露出部が矩形窓状になるようにしてもよい。柱状部もメッシュと一体化することが好ましい。なお、柱状部を設けることは必須ではないが、柱状部を設けると、フィルタ部材１においてメッシュの形状が維持しやすくなる。また、射出成形時に、柱状部を通じて、第１樹脂部１１と第２樹脂部に順次樹脂を充填できる。また、フィルタ部材１は、第１樹脂部１１と第２樹脂部１２に加え、柱状部以外の部分（例えば接続部やシール部等）を備えていてもよい。
【００２１】
メッシュ２の素材は、金属製であってもよいし、樹脂製であってもよい。メッシュは線を編んだ網状の形態であってもよいし、板や膜に多数の穴を設けた形態であってもよい。また、メッシュを円筒状にする手段は、帯状のメッシュ素材を円筒状に丸めて、両端部同士を接合したものであってもよい。接合は、接着、溶接、熱溶着、かしめ、係止等の手段によることができる。フィルタ部材１が柱状部を有する場合には、メッシュ素材の両端部が柱状部の内部に埋め込まれていることが好ましい。
【００２２】
円筒状メッシュ２は、テーパを有していることが好ましい。本実施形態のように、樹脂部の一方が円板状である場合には、円板状である第１樹脂部１１から、リング状もしくは円筒状である第２樹脂部１２に向かうにしたがって、円筒状メッシュ２の径が拡径するようなテーパが与えられていることが好ましい。
【００２３】
第１樹脂部１１とメッシュ２の端部とは、円筒の全周にわたって一体化されている。同様に、第２樹脂部１２とメッシュ２の端部とは、円筒の全周にわたって一体化されている。一体化は、これら樹脂部を構成する合成樹脂が、メッシュ２の網目の空間部に入り込むように行われることが好ましい。また、一体化は、これら樹脂部を構成する合成樹脂が、メッシュ２を構成する素材と密着するように行われることが好ましい。
【００２４】
第１樹脂部１１の外周面と、円筒状メッシュ２の露出部の外周面とは、ほぼ同じ径で連続した円筒状の面とされている。すなわち、両者は互いにほぼ面一な面とされている。後述するキャビティ型の脱型が可能な範囲であれば、両者の間に小さな段差や角度の変化が存在していてもよい。同様に、第２樹脂部１２の内周面と、円筒状メッシュ２の内周面とは、ほぼ同じ径で連続した円筒状の面とされている。後述するコアピンの脱型が可能な範囲であれば、両者の間に小さな段差や角度の変化が存在していてもよい。
【００２５】
第１樹脂部１１の外周部には、複数の溝（凹所）１３，１３が設けられている。溝１３，１３は、第１樹脂部１１の半径方向及び円筒状メッシュの中心軸方向に沿って、第１樹脂部１１の上縁側外周部を切り欠くように、設けられている。そして、溝１３，１３は、円筒状メッシュの中心軸に対して溝の底面が斜めに傾くように、設けられている。
【００２６】
溝１３，１３は２つ以上、好ましくは３つ以上設けられる。また、溝１３，１３の数は６以下であることが好ましい。また、溝１３，１３は、第１樹脂部１１の周方向にほぼ等間隔に設けられることが好ましい。また、第１樹脂部１１と第２樹脂部１２との間に柱状部が設けられる場合には、柱状部が、周方向で溝と溝の中間部（特に中央）となる位置に設けられることが好ましい。
【００２７】
図２ないし図５により、第１樹脂部１１に対し、円筒状メッシュ２がどのような形態で一体化されているかを詳述する。図２は、図１のＡ−Ａ線における断面であり、周方向において溝と溝の中央部を通る面での断面である。図３は、図１のＢ−Ｂ線における断面であり、周方向において溝を通る面での断面である。図４は、図１のＦ−Ｆ線における断面であり、周方向において溝のすぐわきを通る面での断面である。図５は、第１樹脂部１１とメッシュ２の上端部の、図１のＣ−Ｃ線における断面である
【００２８】
円筒状メッシュ２は、メッシュが露出する部分では、ほぼ円形断面を有する円筒状である。一方、円筒状メッシュ２が第１樹脂部１１に一体化された端部においては、図５に示すように、周方向の一部ではメッシュ端部が半径方向内側に入り、周方向の他の部分ではメッシュ端部が相対的に半径方向外側に出るように、円筒状メッシュの端部が半径方向に波打つように変形した状態で第１樹脂部１１に対し一体化されている。特に、メッシュ端部は、溝１３，１３が存在する部分で半径方向内側に入り、周方向で溝と溝の間の中央部で相対的に半径方向外側に出るように、波打った形態となっている。波打ちの形態は、半径方向の位置の変化が周方向に滑らかに連続した変化となるような形態であることが好ましい。なお、円筒状メッシュ２の端部が半径方向内側に入った部分の溝１３付近での形態は、円筒の軸方向に沿って見て、半径方向内側に向けて凸となる形態であっても良いし、直線状であっても良いし、半径方向外側に向けて凸となる形態であっても良い。
【００２９】
図２に示すように、円筒状メッシュ２の端部が波打って半径方向外側に出た部分は、第１樹脂部１１の外周面と、ほぼ同じ位置まで外側に出た状態で、第１樹脂部１１に一体化されている。また、図３や図４に示すように、円筒状メッシュ２の端部が波打って半径方向内側に入った部分は、第１樹脂部１１の外周面よりも内側に位置していて、第１樹脂部１１に埋入されるように一体化されている。すなわち、図３や図４（特に図４）に示すような断面では、円筒状メッシュ２の端部よりも半径方向外側に、第１樹脂部１１を構成する合成樹脂が存在していて、円筒状メッシュ２の端部を覆うように一体化している。
【００３０】
フィルタ部材１を構成する樹脂材料としては、射出成形が可能な種々の合成樹脂が使用できる。合成樹脂は、熱可塑性樹脂であってもよく、熱硬化性樹脂や合成ゴムであってもよい。熱可塑性樹脂としては、典型的には、オレフィン系樹脂などの汎用樹脂や、ポリアミド樹脂、ポリアセタール樹脂などのエンジニアリングプラスチックの他、ポリフェニルサルファイド樹脂やポリエーテルエーテルケトン樹脂などのスーパーエンジニアリングプラスチックが使用できる。熱硬化性樹脂としては、メラミン樹脂やウレタン樹脂が例示される。合成ゴムとしては、シリコーンゴムやＮＢＲ，ＥＰＤＭなどが例示される。
これら合成樹脂には、各種補強材（タルクなど）や、強化繊維が配合されていてもよい。強化繊維としては、ガラス繊維やアラミド繊維、炭素繊維などが例示される。また、合成樹脂には、各種充填材や添加剤、着色剤などを配合してもよい。
【００３１】
フィルタ部材１は、例えば、理化学機器の配管（特にチューブ等）に接続されて、配管内を流れる液体や気体から、塵埃等の異物を除去するフィルタ部材として使用できる。なお、フィルタ部材１の用途は、これに限定されず、気体や流体の移送や圧力伝達に使用される管路に設けられるフィルタ部材として、あるいは、ろ過装置に取り付けられるフィルタ部材として、広く使用できる。メッシュの素材や、目の大きさ等、および、フィルタ部材が他の部材に接続される部分の具体的形状等は、具体的用途の要請に基づいて適宜定められる。また、上記実施形態のフィルタ部材１は、特に、円筒状メッシュの内側から外側に向かって液体や気体が流れる用途に好ましく使用できる。
【００３２】
以下、上記フィルタ部材１の製造方法について説明する。
フィルタ部材１の製造は、射出成形を利用して行われる。まず、樹脂部を形成可能な射出成形金型が準備される。また、円筒状メッシュ２は、公知の方法により、事前に円筒状に形成しておく。その後、射出成形金型に対し、円筒状メッシュを所定の位置に配置した状態で金型を型閉じした後、樹脂を射出して、樹脂部を形成しつつメッシュに一体化することにより、フィルタ部材１が製造される。この射出成形法は、インサート成形法と呼ばれている。
【００３３】
図６は、上記インサート成形工程に用いられる金型の断面模式図である。図を見やすくするため、図６においては、金型そのものの断面に付すべきハッチングを省略している。図７、図８も同様に金型そのもののハッチングを省略している。成形品の取り出しが可能なように、金型３１，３２は、図の上下方向に開閉動作が可能に構成されている。説明の便宜上、両者を上型３１、下型３２と呼ぶ。金型には、適宜スプルーやランナー、ゲートなどが設けられる。また、金型には、適宜ガイドピンや開閉機構、突出しピン、冷却回路などが設けられる。これら金型に付随する部材や構成等の詳細は省略する。
【００３４】
フィルタ部材１は、上型３１と下型３２の開閉方向（図の上下方向）と、円筒状メッシュの中心軸ｍが一致する姿勢で成形される。上型３１には、円柱状の穴が設けられ、こちらがキャビティ型となる。一方、下型３２にはコアピン３５が立設されている。インサート成形に際し、コアピン３５の外周に円筒状メッシュ２が配置され、型閉じ時に、上型の穴に下型のコアピンが入り込んだ状態で、金型のキャビティが完成する。すなわち、フィルタ部材においてメッシュ露出部の外側に対向配置されるキャビティ型の部分３１ａは、メッシュ露出部の内側に配置されるコアピン３５に対し、メッシュの円筒の中心軸ｍに沿う方向に相対移動して型閉じされるよう、射出成形金型は構成されている。
【００３５】
メッシュが露出すべき部分では、メッシュが、コアピン３５とキャビティ型の部分３１ａの間に挟まれて、メッシュの部分に射出された樹脂が侵入しないようにされる。
円筒状メッシュ２がテーパを有する場合には、メッシュに対向する部分のキャビティ型の部分３１ａや、コアピン３５の外周面には、同じテーパが与えられる。
【００３６】
円筒状メッシュが配置される部分の両端部に、第１樹脂部１１や第２樹脂部１２に対応する部分キャビティが設けられる。樹脂がこれら部分キャビティ内に射出されることにより、キャビティを構成する金型面の形状が樹脂に転写されて、所定の形状の第１樹脂部１１や第２樹脂部１２が形成される。本実施形態では、上型３１に設けられた円柱状の穴の最奥部と、下型３２のコアピン３５の先端面とによって、第１樹脂部を形成する部分キャビティが構成される。また、本実施形態では、上型３１に設けられた円柱状の穴の入り口部分と、下型３２のコアピン３５の根元形状、および、下型３２に掘り込まれた円筒状の穴の形状とによって、第２樹脂部を形成する部分キャビティが構成される。これら部分キャビティの具体的構成は、適宜変更してもよい。
【００３７】
さらに、射出成形金型において、第１樹脂部の外面形状を規定するキャビティ型の部分には、即ち、上型３１に設けられた円柱状の穴の最奥部には、キャビティの内側に向かって突出するように、複数本の突条３３，３３が周方向に離間して設けられている。突条３３，３３は、フィルタ部材１における溝１３，１３に対応して設けられており、金型における突条３３，３３の部分が、フィルタ部材１における溝１３，１３になる。突条３３，３３の数は、３以上６以下であることが好ましく、突条が周方向にほぼ等間隔に設けられることが好ましい。本実施形態では、４つの突条３３，３３が、周方向にほぼ９０°の角度をなすよう、ほぼ等間隔に設けられている。
【００３８】
そして、前記突条３３，３３は、金型の型閉じ方向に対し、すなわち、円筒状メッシュの中心軸方向（ｍ方向）に対し、突条３３，３３の突端が傾斜するように設けられている。傾斜の大きさは、２０度〜７０度の範囲にあることが好ましい。また、突条の突端は、本実施形態のように直線状（平面状）であってもよいが、曲線状（曲面状）であってもよい。
【００３９】
上記金型を用いたインサート成形法について、図７、図８を参照して説明する。
まず、図７（ａ）に示すように、上型３１と下型３２を型開きして、下型のコアピン３５に円筒状のメッシュ２をセットする。
その後、図７（ｂ）に示すように、円筒状メッシュの中心軸に沿う方向に上型３１と下型３２を型閉じする。型閉じが完了すると、円筒状メッシュの露出すべき部分が、コアピン３５とキャビティ型の内面３１ａに挟まれるようになると共に、第１樹脂部や第２樹脂部を形成すべき部分キャビティが完成する。
【００４０】
金型を型閉じする際には、キャビティ型の穴の最奥部に設けられた突条３３，３３の傾斜した突端が、円筒状メッシュ２の端部に接触するようにして、円筒状メッシュ２の接触部が円筒の半径方向内側に変形した状態となって型閉じが完了するようにする。このようにすることで、図７（ｂ）のＥ−Ｅ断面図のように、メッシュ２の端部が半径方向に波打つように変形した状態で、型閉じされた金型内部に円筒状メッシュ２が配置される。
【００４１】
かかる状態で樹脂が射出されて樹脂部が形成される（図８）。樹脂の射出と充填は、図７（ｂ）のＥ−Ｅ断面に示した、円筒状メッシュ端部の変形形状がなるべく維持されるように行われる。また、第１樹脂部の部分キャビティと第２樹脂部の部分キャビティがつながっていない場合には、それぞれの部分キャビティに対し射出した樹脂が導かれるようにする。両者が例えば柱状部によりつながっていると、いずれか一方の部分キャビティに樹脂を射出すれば、両方の部分キャビティに順次樹脂が充填されるようになって好ましい。
【００４２】
樹脂を射出・充填した状態で、樹脂を固化させる。樹脂の固化は、樹脂の種類に応じて、冷却・加熱・反応等により行われる。樹脂が十分に固化した頃合いを見計らって、金型３１，３２を型開きし、樹脂部（１１，１２）と円筒状メッシュ２とが一体化されたフィルタ部材１を取り出す。
【００４３】
以下、上記フィルタ部材１および上記製造方法の作用と効果を説明する。
上記製造方法によりフィルタ部材１をインサート成形するようにすれば、第１樹脂部の外周面と、前記メッシュ露出部の外周面が、ほぼ同じ径で連続した円筒状の面とされたフィルタ部材が得られ、円筒状メッシュの径を大きくすることができる。そして、径が大きくなれば、メッシュの濾過面積を大きくしやすくなる。
また、射出成形金型において、メッシュの露出部分の外側に対向配置されるキャビティ型の部分が、メッシュの露出部分の内側に配置されるコアピンに対し、円筒の中心軸ｍに沿う方向に相対移動して型閉じされるように構成したため、メッシュの露出部にスライド金型を用いる必要がなく、金型の構成が簡単になる。
【００４４】
さらに、上記製造方法によりフィルタ部材１をインサート成形するようにすれば、突端が傾斜した突条３３，３３が、キャビティ内側に突出するように設けられて、型閉じ時に、突条３３，３３の傾斜した突端が、円筒状メッシュ２の端部に接触して、円筒状メッシュ２の接触部が円筒の半径方向内側に変形するようにしたので、樹脂部とメッシュとの一体化も確実なものとなる。
【００４５】
仮に、突条３３，３３が設けられない場合には、円筒状メッシュ２は、その円筒形状を維持したままで、第１樹脂部に一体化されることになる。このようなフィルタ部材では、円筒状メッシュが、第１樹脂部の表面部にメッシュ端部が貼りつくように一体化されるにとどまるため、例えば、フィルタに内圧がかかったりすると、メッシュの端部がはがれるなどの不具合を生じやすい。
【００４６】
一方、上記製造方法によりフィルタ部材１を製造すると、円筒状メッシュの中心軸（即ち金型の型閉じ方向）に対し傾斜した突端を有する突条３３，３３が設けられ、金型の型閉じ動作によって、傾斜した突端が円筒状メッシュの端部に接触し、接触部が円筒の半径方向内側、すなわち、型閉じ動作とほぼ直交する方向に変形する。このような突条３３，３３が、複数個、周方向に離間して存在していて、突条の設けられた部分で、離間的に円筒状メッシュ２の端部が、半径方向内側に入り込み、入り込んだ部分で、図４（Ｆ−Ｆ断面）等に示すように、射出された樹脂が、円筒状メッシュ２の端部を外側からも覆うように一体化されて、樹脂部とメッシュとの一体化が確実なものとなる。
【００４７】
さらに、円筒状メッシュがテーパを有している場合には、型締め時に、キャビティ型の面３１ａとコア型３５の外周面とを、円筒の中心軸方向に相対運動させつつ、円筒状メッシュの露出部となるべき部分を、両者の間により緊密に挟み込むことができる。これにより、射出した樹脂が円筒状メッシュの露出部となるべき部分にはみ出してしまう成形不良を抑制することができる。
【００４８】
また、上記実施形態のように、金型の第１樹脂部の形状を規定する部分に前記突条が設けられ、突条の突端との接触により、前記円筒状メッシュの接触部が円筒の半径方向内側に変形して、円筒状メッシュの端部が半径方向に波打つように変形した状態で型閉じが完了するようにすれば、円筒状メッシュの端部全体を半径方向内側に変形させるような場合に比べ、円筒状メッシュの端部を変形させやすく、円筒状メッシュに無理な変形を強いることがない。そのため、第１樹脂部１１の近くのメッシュの露出部にしわなどが発生しにくくなって、フィルタ部材の品質が向上する。
【００４９】
また、さらに、上記実施形態のように、突条の数が３以上６以下であり、突条が周方向にほぼ等間隔に設けられるようにした場合には、円筒状メッシュの端部が半径方向に波打つように変形しやすくなり、円筒状メッシュに無理な変形が生じにくくなる。そのため、メッシュの露出部にしわなどが発生しにくくなって、フィルタ部材の品質が向上する。
【００５０】
発明は、上記実施形態に限定されるものではなく、種々の改変をして実施することができる。以下に発明の他の実施形態や変形例について説明するが、以下の説明においては、上記実施形態と異なる部分を中心に説明し、同様である部分についてはその詳細な説明を省略する。また、これら実施形態は、その一部を互いに組み合わせて、あるいは、その一部を置き換えて実施できる。
【００５１】
上記実施形態では、第１樹脂部１１を形成するキャビティの側に、傾斜した突端を有する突条３３を複数個設けた実施形態について説明したが、突条は、第２樹脂部１２を形成するキャビティの側に設けてもよい。また、必要があれば、突条は、第１樹脂部を形成するキャビティと、第２樹脂部１２を形成するキャビティの両方に設けてもよい。
【００５２】
第２樹脂部１２を形成するキャビティの側に突条を設ける場合には、突条は、コアピンからキャビティの内側に突出するように設けられ、突条の突端が円筒状メッシュの中心軸ｍに対して傾斜して設けられる。そして、型閉じ時に、突条の傾斜突端と円筒状メッシュの端部とが接触することで、円筒状メッシュの接触部が円筒の半径方向外側に変形した状態となって型閉じが完了するように構成すればよい。
なお、ここで傾斜して設けられるべき突条の突端とは、金型を型閉じする際に、円筒状メッシュが接近し接触する部分の突端をいい、円筒状メッシュと接触しない部分は、傾斜している必要はない。この点は、第１樹脂部の側に設けられる突条においても同様である。
【００５３】
第２樹脂部１２を形成するキャビティの側に突条を設ける場合でも、同様に、金型の構成も簡単になり、樹脂部とメッシュとの一体化も確実なものとなる。また、フィルタ部材のメッシュが外から内側に向かう方向の圧力にさらされる場合にも、第２樹脂部側のメッシュ端部と樹脂部の一体化がより確実なものとなる。
【産業上の利用可能性】
【００５４】
上記製造方法によれば、フィルタ部材を効率的に製造できて、産業上の利用価値が高い。
【符号の説明】
【００５５】
１      フィルタ部材
１１        第１樹脂部
１２        第２樹脂部
１３        溝
２          円筒状メッシュ
３１    上型
３２    下型
３３    突条
３５      コアピン
【図１】
2018069114.tif 000003
【図２】
2018069114.tif 000004
【図３】
2018069114.tif 000005
【図４】
2018069114.tif 000006
【図５】
2018069114.tif 000007
【図６】
2018069114.tif 000008
【図７】
2018069114.tif 000009
【図８】
2018069114.tif 000010